(57)【要約】【課題】予約炊飯を設定可能な炊飯器において、誤った予約設定を行っても、その予約設定をキャンセルすることなく、設定内容を変更できるようにすることにより、再度設定をやり直すといった使用者の煩わしさを解消し、使い勝手のよい炊飯器を提供する。【解決手段】炊飯器本体内に米と水を入れる鍋１を着脱自在に収納し、この鍋１を加熱手段２により加熱し、予約炊飯設定開始手段４により予約炊飯を設定する状態にし、予約炊飯設定完了手段５により予約炊飯設定を完了し設定した予約情報に基づき炊飯を開始するのを待つ状態にする。設定した予約情報に基づき炊飯を開始するように制御手段３により加熱手段２を制御する。制御手段３は、予約炊飯設定完了手段５により予約炊飯設定の完了を受け付けた後でも、その予約炊飯設定をキャンセルすることなく、設定内容の変更を受け付けるよう構成する。【選択図】図１
2007222201.tif 000002
【特許請求の範囲】
【請求項１】
炊飯器本体内に着脱自在に収納され米と水を入れる鍋と、この鍋を加熱する加熱手段と、予約炊飯を設定する状態にする予約炊飯設定開始手段と、予約炊飯設定を完了し設定した予約情報に基づき炊飯を開始するのを待つ状態にする予約炊飯設定完了手段と、設定した予約情報に基づき炊飯を開始するように前記加熱手段を制御する制御手段とを備え、前記制御手段は、前記予約炊飯設定完了手段により予約炊飯設定の完了を受け付けた後でも、その予約炊飯設定をキャンセルすることなく、設定内容の変更を受け付けるよう構成した炊飯器。
【請求項２】
予約時刻を設定する予約時刻設定手段を備え、制御手段は、予約炊飯設定完了手段により予約炊飯設定の完了を受け付けた後でも、その予約炊飯設定をキャンセルすることなく、前記予約時刻設定手段による予約設定内容の変更を受け付け、予約炊飯を設定する状態にするようにした請求項１記載の炊飯器。
【請求項３】
炊飯するメニューを設定するメニュー設定手段を備え、制御手段は、予約炊飯設定完了手段により予約炊飯設定の完了を受け付けた後でも、その予約炊飯設定をキャンセルすることなく、前記メニュー設定手段による予約設定内容の変更を受け付け、予約炊飯を設定する状態にするようにした請求項１または２記載の炊飯器。
【請求項４】
使用者の好みに応じて、炊き上がり状態を設定できる炊き分け設定手段を備え、制御手段は、予約炊飯設定完了手段により予約炊飯設定の完了を受け付けた後でも、その予約炊飯設定をキャンセルすることなく、前記炊き分け設定手段による予約設定内容の変更を受け付け、予約炊飯を設定する状態にするようにした請求項１〜３のいずれか１項に記載の炊飯器。
【請求項５】
予約炊飯の内容を設定する設定手段が最後に操作されてからの時間を計測する放置時間計測手段を備え、制御手段は、予約炊飯を設定する状態で前記放置時間計測手段による計測時間が所定時間以上になると、予約炊飯設定を完了し、設定した予約情報に基づき炊飯を開始するのを待つ状態にするようにした請求項１〜４のいずれか１項に記載の炊飯器。
【発明の詳細な説明】
【技術分野】
【０００１】
本発明は、予約炊飯を設定可能な炊飯器に関するものである。
【背景技術】
【０００２】
従来、炊飯器は、炊飯を開始した後でも、一定時間メニューの変更が可能なものがあり、間違ったメニューで炊飯を開始した場合でも、所定の時間内であれば、一度始めた炊飯をキャンセルすることなく、速やかにメニューの変更を行うことができるものがある（例えば、特許文献１参照）。
【特許文献１】特開平３−２９７４１７号公報
【発明の開示】
【発明が解決しようとする課題】
【０００３】
しかしながら、従来の炊飯器では、所定の時刻に炊き上げることができる予約炊飯においては、一度予約設定が完了すると、その予約をキャンセルしなくては設定の変更ができないため、間違った内容で予約設定を行ってしまった場合、そのことにすぐに気づいたとしても一度予約をキャンセルして再度設定をし直さなければならなかった。
【０００４】
特に最近の炊飯器では、白米や無洗米メニューなど一般によく使われるメニューで一度炊飯すると、次回の炊飯までそのメニュー設定を記憶しておき、メニュー設定の手間を省くようにした炊飯器がある。しかし、そのような炊飯器の場合、普段白米で予約炊飯している使用者が玄米やおかゆなどいつもと異なるメニューで予約炊飯を行うときに、いつものように予約設定を行ってしまうと、メニューが白米になってしまい、そのことに予約設定完了後に気づいても、その状態では設定の変更ができず、一度予約をキャンセルしなくてはならないため、使用者に余計な手間が発生することになり、使い勝手がよくなかった。
【０００５】
本発明は、上記従来の課題を解決するもので、誤った予約設定を行っても、その予約設定をキャンセルすることなく、設定内容を変更できるようにすることにより、再度設定をやり直すといった使用者の煩わしさを解消し、使い勝手のよい炊飯器を提供することを目的としている。
【課題を解決するための手段】
【０００６】
本発明は上記目的を達成するために、炊飯器本体内に米と水を入れる鍋を着脱自在に収納し、この鍋を加熱手段により加熱し、予約炊飯設定開始手段により予約炊飯を設定する状態にし、予約炊飯設定完了手段により予約炊飯設定を完了し設定した予約情報に基づき炊飯を開始するのを待つ状態にするようにし、設定した予約情報に基づき炊飯を開始するように制御手段により加熱手段を制御するよう構成し、制御手段は、予約炊飯設定完了手段により予約炊飯設定の完了を受け付けた後でも、その予約炊飯設定をキャンセルすることなく、設定内容の変更を受け付けるよう構成したものである。
【０００７】
これにより、誤った予約設定を行ってしまった際に、その予約設定を一度キャンセルして再度設定をやり直すといった使用者の煩わしさを解消することができ、使い勝手のよい炊飯器を提供することができる。
【発明の効果】
【０００８】
本発明の炊飯器は、誤った予約設定を行ってしまった際に、その予約設定を一度キャンセルして再度設定をやり直すといった使用者の煩わしさを解消することができ、使い勝手を向上することができる。
【発明を実施するための最良の形態】
【０００９】
第１の発明は、炊飯器本体内に着脱自在に収納され米と水を入れる鍋と、この鍋を加熱する加熱手段と、予約炊飯を設定する状態にする予約炊飯設定開始手段と、予約炊飯設定を完了し設定した予約情報に基づき炊飯を開始するのを待つ状態にする予約炊飯設定完了手段と、設定した予約情報に基づき炊飯を開始するように前記加熱手段を制御する制御手段とを備え、前記制御手段は、前記予約炊飯設定完了手段により予約炊飯設定の完了を受け付けた後でも、その予約炊飯設定をキャンセルすることなく、設定内容の変更を受け付けるよう構成したものであり、誤った予約設定を行ってしまった際に、その予約設定を一度キャンセルして再度設定をやり直すといった使用者の煩わしさを解消することができ、使い勝手を向上することができる。
【００１０】
第２の発明は、上記第１の発明において、予約時刻を設定する予約時刻設定手段を備え、制御手段は、予約炊飯設定完了手段により予約炊飯設定の完了を受け付けた後でも、その予約炊飯設定をキャンセルすることなく、前記予約時刻設定手段による予約設定内容の変更を受け付け、予約炊飯を設定する状態にするようにしたものであり、誤った予約時刻設定を行ってしまった際に、その予約設定を一度キャンセルして再度設定をやり直すといった使用者の煩わしさを解消することができ、使い勝手を向上することができる。
【００１１】
第３の発明は、上記第１または第２の発明において、炊飯するメニューを設定するメニュー設定手段を備え、制御手段は、予約炊飯設定完了手段により予約炊飯設定の完了を受け付けた後でも、その予約炊飯設定をキャンセルすることなく、前記メニュー設定手段による予約設定内容の変更を受け付け、予約炊飯を設定する状態にするようにしたものであり、誤ったメニューで予約設定を行ってしまった際に、その予約設定を一度キャンセルして再度設定をやり直すといった使用者の煩わしさを解消することができ、使い勝手を向上することができる。
【００１２】
第４の発明は、上記第１〜３のいずれか１つの発明において、使用者の好みに応じて、炊き上がり状態を設定できる炊き分け設定手段を備え、制御手段は、予約炊飯設定完了手段により予約炊飯設定の完了を受け付けた後でも、その予約炊飯設定をキャンセルすることなく、前記炊き分け設定手段による予約設定内容の変更を受け付け、予約炊飯を設定する状態にするようにしたものであり、誤った炊き分けで予約設定を行ってしまった際に、その予約設定を一度キャンセルして再度設定をやり直すといった使用者の煩わしさを解消することができ、使い勝手を向上することができる。
【００１３】
第５の発明は、上記第１〜４のいずれか１つの発明において、予約炊飯の内容を設定する設定手段が最後に操作されてからの時間を計測する放置時間計測手段を備え、制御手段は、予約炊飯を設定する状態で前記放置時間計測手段による計測時間が所定時間以上になると、予約炊飯設定を完了し、設定した予約情報に基づき炊飯を開始するのを待つ状態にするようにしたものであり、予約炊飯設定完了のための操作を行うといった使用者の手間を省くことができ、設定変更のための動作をシンプルにすることで使用者の煩わしさを解消することができ、使い勝手を向上することができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における炊飯器のブロック図、図２は、同炊飯器の断面図、図３は、同炊飯器の表示操作部を示すものである。
【００１６】
図２に示すように、炊飯器本体１６は着脱自在な鍋１を内装し、鍋１を加熱する加熱コイル１５を有する。鍋１は、ステンレス、鉄などの磁性体によって形成しており、加熱コイル１５は、保護枠１７の底面外側に配設した内コイル１３と、その外周上に配設した外コイル１４とからなり、制御基板１８上に構成された加熱コイル１５に高周波電流を供給するインバータ１２（図１参照）と併せて加熱手段２を構成している。加熱コイル１５はインバータ１２により供給された高周波電流により交番磁界を発生し、この交番磁界で鍋１を誘導加熱させる。
【００１７】
つぎに、予約炊飯設定開始手段４は、炊き上がり時刻や予約炊飯メニューなどの予約炊飯を設定する状態（以降、予約設定状態）にするもので、図３に示すように、予約キー２１で構成している。予約炊飯設定完了手段５は、予約炊飯設定を完了し、設定した予約情報に基づき炊飯を開始するのを待つ状態（以降、予約待機状態）にするもので、スタートキー２０で構成している。予約時刻設定手段６は、使用者の希望する炊き上がり時刻を設定するもので、時キー２２、分キー２３で構成している。メニュー設定手段７、炊き分け設定手段８は、白米や無洗米などの炊飯メニュー、かためややわらかめなどの使用者の希望する炊き上がり状態を設定するもので、それぞれメニューキー２５、炊き分けキー２６で構成している。
【００１８】
制御手段３と放置時間計測手段９は、マイクロコンピュータ１０で構成している。制御手段３は、設定した予約情報に基づき炊飯を開始するように加熱手段２を制御して加熱出力を制御する。また、放置時間計測手段９は、予約時刻設定手段６やメニュー設定手段７などの予約炊飯の内容を設定するための設定手段が最後に操作されてからの時間（以降、設定状態放置時間）を計測するものである。
【００１９】
ここで、制御手段３は、予約炊飯設定完了手段５を構成するスタートキー２０により予約炊飯設定の完了を受け付けた後でも、その予約炊飯設定をキャンセルすることなく、予約時刻設定手段６を構成する時キー２２、分キー２３による予約設定内容の変更を受け付け、予約炊飯を設定する状態にするようにしている。
【００２０】
上記構成において、図４の動作フローチャートを参照しながら動作、作用を説明する。使用者によるキー操作待ちの状態で、まず、ステップＳ１で予約キー２１が押されたかどうかを確認する。予約キー２１が押されていれば予約設定状態となり、ステップＳ２で予約炊飯設定を行う。そして、ステップＳ３でスタートキー２０による予約設定完了要求があるかどうかを確認し、もし予約設定完了要求があれば予約炊飯設定を完了し、予約待機状態となる。スタートキー２０が押されていなければ、ステップＳ２へ戻り、予約炊飯設定状態を継続する。ステップＳ１で予約キー２１が押されていなければ、ステップＳ８でスタートキー２０が押されたかどうかを確認し、もし押されていれば、炊飯を開始する。スタートキー２０が押されていなければ、ステップＳ１へ戻り、キー操作の待ち状態を継続する。
【００２１】
ステップＳ３で予約待機状態となると、ステップＳ４で時キー２２や分キー２３による予約時刻変更要求があるかどうかを確認する。予約時刻変更要求がない場合は、ステップＳ７へと移行し、設定した予約情報に基づき、炊飯開始時刻に到達したかどうかを判定し、到達していれば炊飯を開始する。到達していなければステップＳ４へ戻る。時キー２２や分キー２３による予約時刻変更要求があれば予約設定状態となり、ステップＳ５で予約時刻を変更する。そして、ステップＳ６でスタートキー２０による予約設定変更完了要求があるかどうかを確認する。予約設定変更完了要求があれば予約設定変更を完了し、予約待機状態となり、ステップＳ７へと移行する。そして、設定した予約情報に基づき、炊飯開始時刻に到達したかどうかを判定する。予約設定変更完了要求がなければ、ステップＳ５へ戻り、予約時刻の変更を継続する。
【００２２】
以上のように、本実施の形態においては、制御手段３は、予約炊飯設定完了手段５を構成するスタートキー２０により予約炊飯設定の完了を受け付けた後でも、その予約炊飯設定をキャンセルすることなく、予約時刻設定手段６を構成する時キー２２、分キー２３による予約設定内容の変更を受け付け、予約炊飯を設定する状態にするようにしているので、誤った予約時刻設定を行ってしまった際に、その予約設定を一度キャンセルして再度設定をやり直すといった使用者の煩わしさを解消することができ、使い勝手を向上することができる。
【００２３】
なお、本実施の形態では、鍋１を加熱するのに加熱コイル１５とインバータ１２による誘導加熱方式を用いたが、これはヒータやガス燃焼器具などを用いた加熱方式であってもよい。
【００２４】
（実施の形態２）
図１に示す制御手段３は、予約炊飯設定完了手段５を構成するスタートキー２０により予約炊飯設定の完了を受け付けた後でも、その予約炊飯設定をキャンセルすることなく、メニュー設定手段７を構成するメニューキー２５による予約設定内容の変更を受け付け、予約炊飯を設定する状態にするようにしている。他の構成は上記実施の形態１と同じである。
【００２５】
上記構成において図５の動作フローチャートを参照しながら動作、作用を説明する。なお、図５のステップＳ１からステップＳ３、ステップＳ８の動作は、上記実施の形態１の動作と同じであるので説明を省略する。
【００２６】
ステップＳ３で予約待機状態となると、ステップＳ９で時キー２２や分キー２３、メニューキー２５による予約設定変更要求があるかどうかを確認する。予約設定変更要求がない場合は、ステップＳ７へと移行し、設定した予約情報に基づき、炊飯開始時刻に到達したかどうかを判定する。予約設定変更要求がある場合、予約設定状態となり、ステップＳ４でそれが時キー２２や分キー２３による予約時刻変更要求かどうかを確認する。予約時刻変更要求であれば、ステップＳ５で予約時刻を変更し、ステップＳ６へ移行する。予約設定変更要求が予約時刻変更要求でなければ、ステップＳ１０でメニューキー２５によるメニュー変更要求かどうかを確認する。メニュー変更要求であれば、ステップＳ１１で炊飯メニューを変更し、ステップＳ６へ移行する。予約設定変更要求が予約時刻変更要求でもメニュー変更要求でもなければ、そのままステップＳ６へ移行する。ステップＳ６ではスタートキー２０による予約設定変更完了要求があるかどうかを確認する。予約設定変更完了要求があれば、予約設定変更を完了し、予約待機状態となり、ステップＳ７へと移行する。予約設定変更完了要求がなければステップＳ４へ戻り、予約設定状態を継続する。ステップＳ７では、設定した予約情報に基づき、炊飯開始時刻に到達したかどうかを判定する。到達していれば炊飯を開始し、到達していなければステップＳ９へ戻り、予約待機状態を継続する。
【００２７】
以上のように、本実施の形態においては、制御手段３は、予約炊飯設定完了手段５を構成するスタートキー２０により予約炊飯設定の完了を受け付けた後でも、その予約炊飯設定をキャンセルすることなく、メニュー設定手段７を構成するメニューキー２５による予約設定内容の変更を受け付け、予約炊飯を設定する状態にするようにしているので、誤ったメニューで予約設定を行ってしまった際に、その予約設定を一度キャンセルして再度設定をやり直すといった使用者の煩わしさを解消することができ、使い勝手を向上することができる。
【００２８】
（実施の形態３）
図１に示す制御手段３は、予約炊飯設定完了手段５を構成するスタートキー２０により予約炊飯設定の完了を受け付けた後でも、その予約炊飯設定をキャンセルすることなく、炊き分け設定手段８を構成する炊き分けキー２６による予約設定内容の変更を受け付け、予約炊飯を設定する状態にするようにしている。他の構成は上記実施の形態１または２と同じである。
【００２９】
上記構成において図６の動作フローチャートを参照しながら動作、作用を説明する。なお、図６のステップＳ１からステップＳ３、ステップＳ６〜ステップＳ８までの動作は、上記実施の形態１または２の動作と同じであるので説明を省略する。
【００３０】
ステップＳ３で予約待機状態となると、ステップＳ９で時キー２２や分キー２３、メニューキー２５、炊き分けキー２６による予約設定変更要求があるかどうかを確認する。予約設定変更要求がない場合は、ステップＳ７へと移行し、設定した予約情報に基づき、炊飯開始時刻に到達したかどうかを判定する。予約設定変更要求がある場合、予約設定状態となり、ステップＳ４でそれが時キー２２や分キー２３による予約時刻変更要求かどうかを確認する。予約時刻変更要求であれば、ステップＳ５で予約時刻を変更し、ステップＳ６へ移行する。予約設定変更要求が予約時刻変更要求でなければ、ステップＳ１０でメニューキー２５によるメニュー変更要求かどうかを確認する。メニュー変更要求であれば、ステップＳ１１で炊飯メニューを変更し、ステップＳ６へ移行する。予約設定変更要求がメニュー変更要求でもなければ、ステップＳ１２で炊き分けキー２６による炊き分け変更要求かどうかを確認する。炊き分け変更要求であれば、ステップＳ１３で炊き上がりの状態をふつう、かため、やわらかめの３種類から選択し、ステップＳ６へ移行する。予約設定変更要求が予約時刻変更要求でもメニュー変更要求でも炊き分け変更要求でもなければ、そのままステップＳ６へ移行する。
【００３１】
以上のように、本実施の形態においては、制御手段３は、予約炊飯設定完了手段５を構成するスタートキー２０により予約炊飯設定の完了を受け付けた後でも、その予約炊飯設定をキャンセルすることなく、炊き分け設定手段８を構成する炊き分けキー２６による予約設定内容の変更を受け付け、予約炊飯を設定する状態にするようにしているので、誤った炊き分けで予約設定を行ってしまった際に、その予約設定を一度キャンセルして再度設定をやり直すといった使用者の煩わしさを解消することができ、使い勝手を向上することができる。
【００３２】
（実施の形態４）
図１に示す制御手段３は、予約炊飯を設定する状態で放置時間計測手段による計測時間が所定時間（たとえば、４秒）以上になると、予約炊飯設定を完了し、設定した予約情報に基づき炊飯を開始するのを待つ状態にするようにしている。他の構成は上記実施の形態１〜３と同じである。
【００３３】
上記構成において図７の動作フローチャートを参照しながら動作、作用を説明する。なお、図７のステップＳ１からステップＳ９までの動作は、上記実施の形態３の動作と同じであるので説明を省略する。
【００３４】
ステップＳ９で予約設定変更の要求があり、予約設定状態となると、ステップＳ４でそれが時キー２２や分キー２３による予約時刻変更要求かどうかを確認する。予約時刻変更要求であれば、ステップＳ５で予約時刻を変更し、ステップＳ１４へ移行する。予約設定変更要求が予約時刻変更要求でなければ、ステップＳ１０でメニューキー２５によるメニュー変更要求かどうかを確認する。メニュー変更要求であれば、ステップＳ１１で炊飯メニューを変更し、ステップＳ１４へ移行する。予約設定変更要求がメニュー変更要求でもなければ、ステップＳ１２で炊き分けキー２６による炊き分け変更要求かどうかを確認する。炊き分け変更要求であれば、ステップＳ１３で炊き上がりの状態をふつう、かため、やわらかめの３種類から選択し、ステップＳ１４へ移行する。
【００３５】
ステップＳ１４では、予約設定内容の変更があったということで、設定状態放置時間のクリアを行い、ステップＳ１５へ移行する。予約設定変更要求が予約時刻変更要求でもメニュー変更要求でも炊き分け変更要求でもなければ、そのままステップＳ１５へ移行する。ステップＳ１５では、設定状態放置時間の計測を行う。そして、ステップＳ１６で設定状態放置時間が４秒経過したかどうかを判定する。４秒経過していなければ、ステップＳ６へ移行し、スタートキー２０による予約設定変更完了要求があるかどうかを確認する。４秒経過していれば、予約設定変更を完了し、予約待機状態となり、ステップＳ７へと移行する。
【００３６】
以上のように、本実施の形態においては、制御手段３は、予約炊飯を設定する状態で放置時間計測手段による計測時間が所定時間（４秒）以上になると、予約炊飯設定を完了し、設定した予約情報に基づき炊飯を開始するのを待つ状態にするようにしているので、予約炊飯設定完了のための操作を行うといった使用者の手間を省き、設定変更のための動作をシンプルにすることで使用者の煩わしさを解消することができ、使い勝手を向上することができる。
【産業上の利用可能性】
【００３７】
以上のように、本発明にかかる炊飯器は、誤った予約設定を行ってしまった際に、その予約設定を一度キャンセルして再度設定をやり直すといった使用者の煩わしさを解消することができ、使い勝手を向上することができるので、予約炊飯を設定可能な炊飯器として有用である。
【図面の簡単な説明】
【００３８】
【図１】本発明の実施の形態１における炊飯器のブロック図
【図２】同炊飯器の断面図
【図３】同炊飯器の表示操作部を示す図
【図４】同炊飯器の動作フローチャート
【図５】本発明の実施の形態２における炊飯器の動作フローチャート
【図６】本発明の実施の形態３における炊飯器の動作フローチャート
【図７】本発明の実施の形態４における炊飯器の動作フローチャート
【符号の説明】
【００３９】
１  鍋
２  加熱手段
３  制御手段
４  予約炊飯設定開始手段
５  予約炊飯設定完了手段
１６  炊飯器本体
【図１】
2007222201.tif 000003
【図２】
2007222201.tif 000004
【図３】
2007222201.tif 000005
【図４】
2007222201.tif 000006
【図５】
2007222201.tif 000007
【図６】
2007222201.tif 000008
【図７】
2007222201.tif 000009